(57)【要約】【課題】  ハンドバックやファイル・ボックスなどの特有な形状の物品を立てたままの状態で容易に収容することができるとともに、物品の出入れを容易に行うことができるようにして、使い勝手を良くし、しかも、物品が物品収容棚から落下した際における破損の心配をなくすことができる椅子を提供する。【解決手段】  座部２が支えられる左右一対の前脚３、３および後脚４、４を備える椅子１において、左右の前脚３と後脚４との下部を、前後方向を向く横桟５によりそれぞれ連結するとともに、これら左右の横桟５、５間に、左右方向に横長の物品載置棚６を渡設することにより、座部２の下方に、左右方向と上下方向が長くて前後方向が短い物品収容空間Ｓを形成する。【選択図】    図１
2009183532.tif 000002
【特許請求の範囲】
【請求項１】
座部が支えられる左右一対の前脚および後脚を備える椅子において、
前記左右の前脚と後脚との下部を、前後方向を向く横桟によりそれぞれ連結するとともに、これら左右の横桟間に、左右方向に横長の物品載置棚を渡設することにより、座部の下方に、左右方向と上下方向が長くて前後方向が短い物品収容空間を形成したことを特徴とする椅子。
【請求項２】
物品載置棚の左右両端部を、下方に向けそれぞれ折曲して係止部とするとともに、左右の横桟に、前記左右の係止部が着脱可能に係止される係止段部を設けた請求項１記載の椅子。
【請求項３】
係止段部を、横桟における前後方向のほぼ中央部に上向きコ字状に形成した請求項２記載の椅子。
【請求項４】
座部が支えられる左右一対の前脚および後脚を備える椅子において、
前記左右の前脚と後脚との下部を、前後方向を向く横桟によりそれぞれ連結するとともに、少なくとも左右いずれか一方の横桟に、前後方向に縦長の物品載置棚を、横桟の外側に位置させて係着することにより、前後方向と上下方向が長くて左右方向が短い物品収容空間を形成したことを特徴とする椅子。
【請求項５】
物品載置棚の前後方向に延びる左右両上端部の少なくとも一方に、横桟に着脱可能に掛止めされる掛止部を設けた請求項４記載の椅子。
【請求項６】
物品載置棚を、横桟に渡設あるいは係着した状態で床面上に接地可能にした請求項１〜５のいずれかに記載の椅子。
【請求項７】
物品載置棚の左右方向あるいは前後方向の両端部を、下方に向けそれぞれ折曲するとともに、この前後の折曲部の下端を、床面等の椅子設置面上に接地可能にした請求項６記載の椅子。
【発明の詳細な説明】
【技術分野】
【０００１】
本発明は、例えば結婚式場やパーティ会場、会議室あるいは美術館や博物館等において使用される椅子に関する。
【背景技術】
【０００２】
従来の椅子には、左右一対の前後両脚に支えられた座部の下方に、物品収容棚が設けられたものがあり、この物品収容棚に、小物な手荷物等を載置して、一時的に収容しておくことができるようになっている（特許文献１〜５参照）。
【０００３】
しかし、前記した各特許文献に記載の椅子は、いずれもハンドバックやファイル・ボックスなどのように、左右方向と上下方向が長くて前後方向が短い物品、あるいは前後方向と上下方向が長くて左右方向が短い物品などの特有な形状を有する物品を立てたままの状態で収容することができないばかりでなく、物品の出入れも面倒であるため、使い勝手が悪いというという問題があった。
【０００４】
また、物品収容棚の位置が、床面等の椅子設置面よりも高い場合、物品が壊れ物であると、物品が物品収容棚から落下した際には、破損し易いなどの心配があった。
【特許文献１】実開平７−２０８９８号公報
【特許文献２】実用新案登録第３０４３３６８号公報
【特許文献３】特開２００５−３３４４０７号公報
【特許文献４】特開平９−１６８４５３号公報
【特許文献５】特開２００２−２２３８８４号公報
【発明の開示】
【発明が解決しようとする課題】
【０００５】
本発明は、前記の現状に鑑み、ハンドバックやファイル・ボックスなどの特有な形状の物品を立てたままの状態で容易に収容することができるとともに、物品の出入れを容易に行うことができるようにして、使い勝手を良くし、しかも、物品が物品収容棚から落下した際における破損の心配をなくすことができる椅子を提供することを目的とする。
【課題を解決するための手段】
【０００６】
上記課題は「特許請求の範囲」の欄における各請求項に記載するように、次のような構成からなる発明によって解決される。
【０００７】
（１）  座部が支えられる左右一対の前脚および後脚を備える椅子において、前記左右の前脚と後脚との下部を、前後方向を向く横桟によりそれぞれ連結するとともに、これら左右の横桟間に、左右方向に横長の物品載置棚を渡設することにより、座部の下方に、左右方向と上下方向が長くて前後方向が短い物品収容空間を形成する。
【０００８】
（２）  上記（１）項において、物品載置棚の左右両端部を、下方に向けそれぞれ折曲して係止部とするとともに、左右の横桟に、前記左右の係止部が着脱可能に係止される係止段部を設ける。
【０００９】
（３）  上記（２）項において、係止段部を、横桟における前後方向のほぼ中央部に上向きコ字状に形成する。
【００１０】
（４）  座部が支えられる左右一対の前脚および後脚を備える椅子において、前記左右の前脚と後脚との下部を、前後方向を向く横桟によりそれぞれ連結するとともに、少なくとも左右いずれか一方の横桟に、前後方向に縦長の物品載置棚を、横桟の外側に位置させて係着することにより、前後方向と上下方向が長くて左右方向が短い物品収容空間を形成する。
【００１１】
（５）  上記（４）項において、物品載置棚の前後方向に延びる左右両上端部の少なくとも一方に、横桟に着脱可能に掛止めされる掛止部を設ける。
【００１２】
（６）  上記（１）〜（５）項のいずれかにおいて、物品載置棚を、横桟に渡設あるいは係着した状態で床面上に接地可能にする。
【００１３】
（７）  上記（６）項において、物品載置棚の左右方向あるいは前後方向の両端部を、下方に向けそれぞれ折曲するとともに、この前後の折曲部の下端を、床面等の椅子設置面上に接地可能にする。
【発明の効果】
【００１４】
本発明によると、次のような効果が奏せられる。
請求項１記載の発明によると、左右の前脚と後脚との下部を、前後方向を向く横桟によりそれぞれ連結するとともに、これら左右の横桟間に、左右方向に横長の物品載置棚を渡設することにより、座部の下方に、左右方向と上下方向が長くて前後方向が短い物品収容空間を形成してあるため、ハンドバックやファイル・ボックスなどの左右方向と上下方向が長くて前後方向が短い特有な形状の物品を、立てたままの状態で容易に収容することができるとともに、物品収容空間における椅子の前後方向および左右方向の両方向から物品を出入れすることができ、使い勝手を良くすることができる。
また、左右の前脚と後脚との下部における左右の横桟間に物品載置棚を渡設してあるため、床面等の椅子設置面からの物品収容棚の高さを低くすることができ、これにより、物品が物品収容棚から落下した際における破損の心配をなくすことができる。
【００１５】
請求項２記載の発明によると、物品載置棚の左右両端部を、下方に向けそれぞれ折曲して係止部とするとともに、左右の横桟に、前記左右の係止部が着脱可能に係止される係止段部を設けてあるため、左右の横桟間に物品載置棚を容易に取り付けることができる。
【００１６】
請求項３記載の発明によると、係止段部を、横桟における前後方向のほぼ中央部に上向きコ字状に形成してあるため、左右の横桟に対する物品載置棚の前後方向の移動を防止することができ、物品載置棚を安定して取り付けることができる。
【００１７】
請求項４記載の発明によると、少なくとも左右いずれか一方の横桟に、前後方向に縦長の物品載置棚を、横桟の外側に位置させて係着することにより、前後方向と上下方向が長くて左右方向が短い物品収容空間を形成してあるため、ハンドバックやファイル・ボックスなどの特有な形状の物品を、立てたままの状態で容易に収容することができる。
また、物品収容空間が前後に開放されているため、物品の載置、取出しを容易に行うことができる。
【００１８】
請求項５記載の発明によると、物品載置棚の前後方向に延びる左右両上端部の少なくとも一方に、横桟に着脱可能に掛止めされる掛止部を設けてあるため、横桟に物品載置棚を容易に取り付けることができる。
【００１９】
請求項６記載の発明によると、物品載置棚を、横桟に渡設あるいは係着した状態で床面上に接地可能にしてあるため、物品載置棚が揺動することがなく、物品載置棚の安定化を図ることができるとともに、物品の積載重量が横桟に掛かる負担を軽減することができる。
【００２０】
請求項７記載の発明によると、物品載置棚の左右方向あるいは前後方向の両端部を、下方に向けそれぞれ折曲するとともに、この前後の折曲部の下端を、床面等の椅子設置面上に接地可能にしてあるため、物品載置棚を安定して取り付けることができるとともに、物品の積載重量が横桟に掛かる負担を軽減することができる。
【発明を実施するための最良の形態】
【００２１】
以下、本発明の実施形態を図面に基づいて詳細に説明する。
図１は、本発明の第１実施形態における椅子の斜視図、図２は、同じく正面図、図３は、同じく側面図、図４は、椅子と物品載置棚の要部拡大分解斜視図である。
【００２２】
図１〜図４に示すように、椅子１は、座部２と、この座部２の前後をそれぞれ支える左右一対の前脚３、３および後脚４、４と、これら左右の前脚３、３と後脚４、４との下部をそれぞれ連結する前後方向を向く横桟５、５とによって構成されている。
【００２３】
左右の横桟５、５間には、フレーム部材からなる左右方向に横長のトレイ状の物品載置棚６が渡設され、この物品載置棚６の左右両端部６ａ、６ａには、下方に向けそれぞれ折曲した係止部７、７が形成されている。
これら左右両係止部７、７は、左右の横桟５、５の前後方向の中央部にそれぞれ上向きコ字状に形成した凹状の係止段部８、８に係止することにより、物品載置棚６を左右の横桟５、５間に着脱可能に安定して渡設しうるようになっている。
【００２４】
このようにして、左右の横桟５、５間に渡設された物品載置棚６上には、図２、図３に想像線で示すように、座部２の下方に、左右方向と上下方向が長くて前後方向が短い物品収容空間Ｓが形成されるとともに、物品載置棚６は、床面等の椅子設置面Ｆ上から近接した高さに位置している。
【００２５】
また、左右の前脚３、３および後脚４、４は、上方から下方に向けて外向きに傾斜しており、物品載置棚６を取外して、複数の椅子１をスタッキングしうるようになっている。
【００２６】
図５は、本発明の第２実施形態を示す物品載置棚の拡大斜視図、図６は、物品載置棚を椅子に取り付けた状態の斜視図、図７は、同じく正面図、図８は、同じく側面図である。
【００２７】
本実施形態においては、物品載置棚９における左右両端部９ａ、９ａの係止部１０、１０を、第１実施形態の場合よりも更に下方に向けて延設することにより、左右横桟５、５間に渡設した際に、前記延設した下端１０ａ、１０ａが、床面等の椅子設置面Ｆ上に接地されるようになっている。
これにより、物品載置棚６が揺動することがなく、物品載置棚６の安定化を図ることができるとともに、物品の積載重量が横桟５、５に掛かる負担を軽減することができる。
【００２８】
図９は、本発明の第３実施形態を示す物品載置棚の拡大斜視図、図１０は、物品載置棚を椅子に取り付けた状態の斜視図、図１１は、同じく正面図、図１２は、同じく側面図である。
【００２９】
本実施形態においては、物品載置棚１１を、前後方向に縦長のトレイ状とするとともに、左右の上端部１１ａ、１１ａのいずれか一方には、前後１対のフック状の掛止部１２，１２が設けられ、この前後の掛止部１２、１２を、椅子１における左右いずれか一方の横桟５に着脱可能に掛止めしている。
これにより、物品載置棚１１が、椅子１における横桟５の外側に位置しうるように係着されるとともに、図１１、図１２に想像線で示すように、椅子１における横桟５の外側に、前後方向と上下方向が長くて左右方向が短い物品収容空間Ｓが形成されるようになっている。
この場合、前後の掛止部１２、１２は、左右の上端部１１ａ、１１ａの双方に設けてもよい。
【００３０】
また、物品載置棚１１の前後両端部１１ｂ、１１ｂは、下方に向けて折曲することにより、その折曲した前記両端部１１ｂ、１１ｂの下端１１ｃ、１１ｃが、床面等の椅子設置面Ｆ上に接地されるようになっている。
【図面の簡単な説明】
【００３１】
【図１】本発明における第１実施形態の椅子の斜視図である。
【図２】同じく正面図である。
【図３】同じく側面図である。
【図４】椅子と物品載置棚の要部拡大分解斜視図である。
【図５】本発明における第２実施形態の物品載置棚の拡大斜視図である。
【図６】物品載置棚を椅子に取り付けた状態の斜視図である。
【図７】同じく正面図である。
【図８】同じく側面図である。
【図９】本発明における第３実施形態の物品載置棚の拡大斜視図である。
【図１０】物品載置棚を椅子に取り付けた状態の斜視図である。
【図１１】同じく正面図である。
【図１２】同じく側面図である。
【符号の説明】
【００３２】
１    椅子
２    座部
３    前脚
４    後脚
５    横桟
６    物品載置棚
６ａ  端部
７    係止部
８    係止段部
９    物品載置棚
１０  係止部
１０ａ  下端部
１１  物品載置棚
１１ａ  上端部
１１ｂ  端部
１１ｃ  下端
１２  掛止部
Ｆ    床面（椅子設置面）
Ｓ    物品収容空間
【図１】
2009183532.tif 000003
【図２】
2009183532.tif 000004
【図３】
2009183532.tif 000005
【図４】
2009183532.tif 000006
【図５】
2009183532.tif 000007
【図６】
2009183532.tif 000008
【図７】
2009183532.tif 000009
【図８】
2009183532.tif 000010
【図９】
2009183532.tif 000011
【図１０】
2009183532.tif 000012
【図１１】
2009183532.tif 000013
【図１２】
2009183532.tif 000014